(57)【特許請求の範囲】
【請求項１】
少なくとも上下に隣接する画面を含む複数の画面を表示するインターレース映像信号の入力を画面単位で受ける映像信号入力部と、
前記映像信号入力部に入力されたインターレース映像信号からプログレッシブ映像信号に変換する際に、インターレース映像信号によって画像が表示される領域である有効画像領域の最下ラインを変換する場合に下隣に画面が存在するときは下隣の画面の有効画像領域の最上ラインに相当するインターレース映像信号を用いて、画面の有効画像領域の最上ラインを変換する場合に上隣に画面が存在するときは上隣の画面の有効画像領域の最下ラインに相当するインターレース映像信号を用いて、プログレッシブ映像信号に変換する変換処理部と、
を含み、
前記変換処理部は、
下隣に画面が存在する場合には、画面の有効画像領域の全ラインのインターレース映像信号及び下隣の画面における有効画像領域の最上ラインから下方向へ所定のライン数分のインターレース映像信号を記録し、上隣に画面が存在する場合には、画面の有効画像領域の全ラインのインターレース映像信号及び上隣の画面における有効画像領域の最下ラインから上方向へ所定のライン数分のインターレース映像信号を、画面単位で格納する画像データ格納部と、
前記画像データ格納部に画面単位で格納されたインターレース映像信号を用いてプログレッシブ映像信号に変換する補間処理部と、
を含むことを特徴とする、映像信号処理装置。
【請求項２】
上下に隣接する画面において、上側の画面の有効画像領域の最下ラインと下側の画面の有効画像領域の最上ラインとの相関性を検査し、相関性が無ければ隣接する画面からのインターレース映像信号を前記画像データ格納部に格納させないよう制御する相関検査部をさらに含むことを特徴とする、請求項１に記載の映像信号処理装置。
【請求項３】
インターレース映像信号を前記画像データ格納部に格納する際に、ラインの位置を計測するライン計測部と、
前記ライン計測部の計測値が所定の値になった場合に上または下に隣接する画面に対応する前記画像データ格納部へインターレース映像信号を格納するよう切り替える切替部と、
をさらに含むことを特徴とする、請求項１に記載の映像信号処理装置。
【請求項４】
前記変換処理部は、
前記画像データ格納部に格納されたインターレース映像信号をライン毎に一時的に順次格納する第１のラインデータ格納部と、
前記第１のラインデータ格納部に格納されているラインの次のラインのインターレース映像信号を順次格納する第２のラインデータ格納部と、
下隣の画面の有効画像領域の最上ラインに相当するインターレース映像信号または上隣の画面の有効画像領域の最下ラインに相当するインターレース映像信号を格納する第３のラインデータ格納部と、
画面の有効画像領域の最上ラインまたは画面の有効画像領域の最下ラインをインターレース映像信号からプログレッシブ映像信号に変換する場合には、前記第１のラインデータ格納部または前記第２のラインデータ格納部に格納されたインターレース映像信号と前記第３のラインデータ格納部に格納されたインターレース映像信号とを用いて、画面の有効画像領域の最上ライン以外のラインまたは画面の有効画像領域の最下ライン以外のラインをインターレース映像信号からプログレッシブ映像信号に変換する場合には、前記第１のラインデータ格納部に格納されたインターレース映像信号と前記第２のラインデータ格納部に格納されたインターレース映像信号とを用いて、インターレース映像信号からプログレッシブ映像信号に変換する補間処理部と、
を含むことを特徴とする、請求項１に記載の映像信号処理装置。
【請求項５】
上下に隣接する画面において、上側の画面の有効画像領域の最下ラインと下側の画面の有効画像領域の最上ラインとの相関性を検査し、相関性が無ければ前記第１のラインデータ格納部に格納されたインターレース映像信号と前記第２のラインデータ格納部に格納されたインターレース映像信号とを用いて前記補間処理部に変換させるよう制御する相関検査部をさらに含むことを特徴とする、請求項４に記載の映像信号処理装置。
【請求項６】
前記補間処理部でインターレース映像信号からプログレッシブ映像信号に変換する際に変換対象となるインターレース映像信号のラインの位置を計測するライン計測部と、
前記ライン計測部の計測値が所定の値になった場合に、前記第３のラインデータ格納部に格納されたインターレース映像信号を用いて前記補間処理部に変換させるよう切り替える切替部と、
をさらに含むことを特徴とする、請求項４に記載の映像信号処理装置。
【請求項７】
少なくとも上下に隣接する画面を含む複数の画面を表示するインターレース映像信号の入力を画面単位で受ける映像信号入力ステップと、
前記映像信号入力ステップに入力されたインターレース映像信号からプログレッシブ映像信号に変換する際に、インターレース映像信号によって画像が表示される領域である有効画像領域の最下ラインを変換する場合に下隣に画面が存在するときは下隣の画面の有効画像領域の最上ラインに相当するインターレース映像信号を用いて、画面の有効画像領域の最上ラインを変換する場合に上隣に画面が存在するときは上隣の画面の有効画像領域の最下ラインに相当するインターレース映像信号を用いて、プログレッシブ映像信号に変換する変換ステップと、
を含み、
前記変換ステップは、
下隣に画面が存在する場合には、画面の有効画像領域の全ラインのインターレース映像信号及び下隣の画面における有効画像領域の最上ラインから下方向へ所定のライン数分のインターレース映像信号を記録し、上隣に画面が存在する場合には、画面の有効画像領域の全ラインのインターレース映像信号及び上隣の画面における有効画像領域の最下ラインから上方向へ所定のライン数分のインターレース映像信号を、画面単位で格納するステップと、
前記画像データ格納部に画面単位で格納されたインターレース映像信号を用いてプログレッシブ映像信号に変換するステップと、
を含むことを特徴とする、映像信号処理方法。
【請求項８】
少なくとも上下に隣接する画面を含む複数の画面を表示するインターレース映像信号の入力を画面単位で受ける映像信号入力ステップと、
前記映像信号入力ステップに入力されたインターレース映像信号からプログレッシブ映像信号に変換する際に、インターレース映像信号によって画像が表示される領域である有効画像領域の最下ラインを変換する場合に下隣に画面が存在するときは下隣の画面の有効画像領域の最上ラインに相当するインターレース映像信号を用いて、画面の有効画像領域の最上ラインを変換する場合に上隣に画面が存在するときは上隣の画面の有効画像領域の最下ラインに相当するインターレース映像信号を用いて、プログレッシブ映像信号に変換する変換ステップと、
をコンピュータに実行させ、
前記変換ステップでは、
下隣に画面が存在する場合には、画面の有効画像領域の全ラインのインターレース映像信号及び下隣の画面における有効画像領域の最上ラインから下方向へ所定のライン数分のインターレース映像信号を記録し、上隣に画面が存在する場合には、画面の有効画像領域の全ラインのインターレース映像信号及び上隣の画面における有効画像領域の最下ラインから上方向へ所定のライン数分のインターレース映像信号を、画面単位で格納するステップと、
前記画像データ格納部に画面単位で格納されたインターレース映像信号を用いてプログレッシブ映像信号に変換するステップと、
をコンピュータに実行させることを特徴とする、コンピュータプログラム。
【発明の詳細な説明】
【技術分野】
【０００１】
本発明は、映像信号処理装置、映像信号処理方法およびコンピュータプログラムに関し、より詳細には、インターレース映像信号をプログレッシブ映像信号に変換する映像信号処理装置、映像信号処理方法およびコンピュータプログラムに関する。
【背景技術】
【０００２】
液晶表示装置や有機ＥＬ（Ｅｌｅｃｔｒｏ−Ｌｕｍｉｎｅｓｃｅｎｃｅ）表示装置においては、ＣＲＴ（Ｃａｔｈｏｄｅ  Ｒａｙ  Ｔｕｂｅ）を使用した表示装置とは異なり、面ホールド型表示による映像の表示を行う。つまり、例えば一般的なフレーム周波数である６０Ｈｚで動作する表示装置の場合、１つのフレームの表示期間ごとに画面全体で同一の画像をホールドする面ホールド型の表示を行う。
【０００３】
映像を表示するための放送信号の多くは、ＣＲＴを使用した表示装置に対応した、インターレース方式に従って生成されている。インターレース方式による放送信号によってＣＲＴを使用した表示装置に画像を表示する際には、ＣＲＴの水平走査線に表示する１つの画像を２フィールドで構成し、最初のフィールドで画面の一番上の水平走査線から１本おきに水平走査線を走査する。そして、下端の水平走査線に到達すると、次に画面の上部から、最初のフィールドの走査では走査されていない水平走査線を順次１本おきに走査することで、１フレーム分の画像を表示させている。
【０００４】
インターレース方式の放送信号（以下、単に「インターレース信号」とも称する）を用いて液晶表示装置や有機ＥＬ表示装置のような面ホールド型表示を行う表示装置で画像を表示させようとすると、各表示フレームにおいて画面に表示されるデータが存在するラインと存在しないラインとが交互に発生して、フリッカが目立つようになってしまい、かつ輝度が半減してしまう問題が生じる。従って、この問題を解決するために、面ホールド型表示を行う表示装置では、インターレース信号をプログレッシブ方式の放送信号（以下、単に「プログレッシブ信号」とも称する）に変換する処理が行われる。このインターレース信号からプログレッシブ信号への変換処理は、一般にＩ／Ｐ変換と呼ばれる。
【０００５】
プログレッシブ方式は、画面を構成する複数の走査線を上から１本ずつ順番に走査して画面を表示する方式である。すなわち、プログレッシブ方式においては、１つのフレームにおいて全ての走査線に対応する信号が提供される。インターレース方式では１本おきに水平走査線を走査しているので、インターレース方式では走査されない走査線についても信号を生成する必要がある。これがＩ／Ｐ変換である。
【０００６】
Ｉ／Ｐ変換では、動画などのように動きが激しく、前後のフィールドからのデータを使用出来ないような場合には、インターレース方式では走査されない走査線の信号を補間処理によって生成する。図１３は、Ｉ／Ｐ変換による補間処理を概略的に説明する説明図である。図１３に示したように、走査されない走査線の上下の走査線の信号を用いて補間処理を行い、走査されない走査線の信号を作成する。
【０００７】
また最近は、縦方向に１１２５ライン分の信号を有するＨＤ−ＳＤＩ（Ｈｉｇｈ  Ｄｅｆｉｎｉｔｉｏｎ−Ｓｅｒｉａｌ  Ｄｉｇｉｔａｌ  Ｉｎｔｅｒｆａｃｅ）信号のような、高繊細な画像を表示できるインターレース信号を複数画面分（例えば、縦２画面分×横２画面分）入力して、液晶ディスプレイやプロジェクタ等で表示させるような表示装置が注目されている。このような表示装置では、複数画面分の映像信号を入力することで、高繊細な画像を大画面で表示させることができる。
【発明の開示】
【発明が解決しようとする課題】
【０００８】
Ｉ／Ｐ変換においては、動画などのように動きが激しく、前後のフィールドからのデータを使用出来ないような場合には、処理中の対象フィールド内の２つのラインのデータを補間することで間のラインのデータを作成している。ところが、画素の上下の境界においてはブランキング領域のデータを用いて補間している。図１４は、画素の上下の境界におけるＩ／Ｐ変換による補間処理を概略的に説明する説明図である。このように、画素の上下の境界では、補間処理の結果、他のラインより暗いデータが生成されてしまう。
【０００９】
１つの画面だけであれば、画素の上下の境界において、補間処理の結果他のラインより暗いデータが生成されても問題は無かった。しかし、例えば縦２画面分、横２画面分の画像データを入力し、そのままＩ／Ｐ変換してしまうと、図１５に示したように、各画面の水平境界部分に薄暗い筋が入ったように見える画像が表示されてしまう問題があった。
【００１０】
そこで、本発明は、上記問題に鑑みてなされたものであり、本発明の目的とするところは、上下に隣接する画面を含む複数の画面を表示するインターレース映像信号をＩ／Ｐ変換しても画面の水平境界部分に薄暗い筋を表示させずに画像を表示することが可能な、新規かつ改良された映像信号処理装置、映像信号処理方法およびコンピュータプログラムを提供することにある。
【課題を解決するための手段】
【００１１】
上記課題を解決するために、本発明のある観点によれば、少なくとも上下に隣接する画面を含む複数の画面を表示するインターレース映像信号の入力を画面単位で受ける映像信号入力部と、映像信号入力部に入力されたインターレース映像信号からプログレッシブ映像信号に変換する際に、インターレース映像信号によって画像が表示される領域である有効画像領域の最下ラインを変換する場合に下隣に画面が存在するときは下隣の画面の有効画像領域の最上ラインに相当するインターレース映像信号を用いて、画面の有効画像領域の最上ラインを変換する場合に上隣に画面が存在するときは上隣の画面の有効画像領域の最下ラインに相当するインターレース映像信号を用いて、プログレッシブ映像信号に変換する変換処理部と、を含むことを特徴とする、映像信号処理装置が提供される。
【００１２】
かかる構成によれば、映像信号入力部に入力された、少なくとも上下に隣接する画面を含む複数の画面を表示するインターレース映像信号の供給を受ける変換処理部は、インターレース映像信号からプログレッシブ映像信号に変換する際に、インターレース映像信号によって画像が表示される領域である有効画像領域の最下ラインを変換する場合に下隣に画面が存在するときは下隣の画面の有効画像領域の最上ラインに相当するインターレース映像信号を用いて、画面の有効画像領域の最上ラインを変換する場合に上隣に画面が存在するときは上隣の画面の有効画像領域の最下ラインに相当するインターレース映像信号を用いて、プログレッシブ映像信号に変換する。その結果、上下に隣接する画面を含む複数の画面を表示するインターレース映像信号をＩ／Ｐ変換しても、画面の水平境界部分に薄暗い筋を表示させずに画像を表示させることが可能となる。
【００１３】
変換処理部は、下隣に画面が存在する場合には、画面の有効画像領域の全ラインのインターレース映像信号及び下隣の画面における有効画像領域の最上ラインから下方向へ所定のライン数分のインターレース映像信号を記録し、上隣に画面が存在する場合には、画面の有効画像領域の全ラインのインターレース映像信号及び上隣の画面における有効画像領域の最下ラインから上方向へ所定のライン数分のインターレース映像信号を、画面単位で格納する画像データ格納部と、画像データ格納部に画面単位で格納されたインターレース映像信号を用いてプログレッシブ映像信号に変換する補間処理部と、を含んでいてもよい。その結果、画像データ格納部に、上下に隣接する画面からインターレース映像信号の一部を取得して格納することで、上下に隣接する画面を含む複数の画面を表示するインターレース映像信号をＩ／Ｐ変換しても、画面の水平境界部分に薄暗い筋を表示させずに画像を表示させることが可能となる。
【００１４】
上記映像信号処理装置は、上下に隣接する画面において、上側の画面の有効画像領域の最下ラインと下側の画面の有効画像領域の最上ラインとの相関性を検査し、相関性が無ければ隣接する画面からのインターレース映像信号を画像データ格納部に格納させないよう制御する相関検査部をさらに含んでいてもよい。
【００１５】
上記映像信号処理装置は、インターレース映像信号を画像データ格納部に格納する際に、ラインの位置を計測するライン計測部と、ライン計測部の計測値が所定の値になった場合に上または下に隣接する画面に対応する画像データ格納部へインターレース映像信号を格納するよう切り替える切替部と、をさらに含んでいてもよい。
【００１６】
変換処理部は、映像信号入力部が入力したインターレース映像信号を格納する画像データ格納部と、画像データ格納部に格納されたインターレース映像信号をライン毎に一時的に順次格納する第１のラインデータ格納部と、第１のラインデータ格納部に格納されているラインの次のラインのインターレース映像信号を順次格納する第２のラインデータ格納部と、下隣の画面の有効画像領域の最上ラインに相当するインターレース映像信号または上隣の画面の有効画像領域の最下ラインに相当するインターレース映像信号を格納する第３のラインデータ格納部と、画面の有効画像領域の最上ラインまたは画面の有効画像領域の最下ラインをインターレース映像信号からプログレッシブ映像信号に変換する場合には、第１のラインデータ格納部または第２のラインデータ格納部に格納されたインターレース映像信号と第３のラインデータ格納部に格納されたインターレース映像信号とを用いて、画面の有効画像領域の最上ライン以外のラインまたは画面の有効画像領域の最下ライン以外のラインをインターレース映像信号からプログレッシブ映像信号に変換する場合には、第１のラインデータ格納部に格納されたインターレース映像信号と第２のラインデータ格納部に格納されたインターレース映像信号とを用いて、インターレース映像信号からプログレッシブ映像信号に変換する補間処理部と、を含んでいてもよい。その結果、所定のタイミングで補間処理の対象となるインターレース映像信号を切り替えて補間処理部に供給することで、上下に隣接する画面を含む複数の画面を表示するインターレース映像信号をＩ／Ｐ変換しても、画面の水平境界部分に薄暗い筋を表示させずに画像を表示させることが可能となる。
【００１７】
上記映像信号処理装置は、上下に隣接する画面において、上側の画面の有効画像領域の最下ラインと下側の画面の有効画像領域の最上ラインとの相関性を検査し、相関性が無ければ第１のラインデータ格納部に格納されたインターレース映像信号と第２のラインデータ格納部に格納されたインターレース映像信号とを用いて補間処理部に変換させるよう制御する相関検査部をさらに含んでいてもよい。
【００１８】
上記映像信号処理装置は、補間処理部でインターレース映像信号からプログレッシブ映像信号に変換する際に変換対象となるインターレース映像信号のラインの位置を計測するライン計測部と、ライン計測部の計測値が所定の値になった場合に、第３のラインデータ格納部に格納されたインターレース映像信号を用いて補間処理部に変換させるよう切り替える切替部と、をさらに含んでいてもよい。
【００１９】
また、上記課題を解決するために、本発明の別の観点によれば、少なくとも上下に隣接する画面を含む複数の画面を表示するインターレース映像信号の入力を画面単位で受ける映像信号入力ステップと、映像信号入力ステップに入力されたインターレース映像信号からプログレッシブ映像信号に変換する際に、インターレース映像信号によって画像が表示される領域である有効画像領域の最下ラインを変換する場合に下隣に画面が存在するときは下隣の画面の有効画像領域の最上ラインに相当するインターレース映像信号を用いて、画面の有効画像領域の最上ラインを変換する場合に上隣に画面が存在するときは上隣の画面の有効画像領域の最下ラインに相当するインターレース映像信号を用いて、プログレッシブ映像信号に変換する変換ステップと、を含むことを特徴とする、映像信号処理方法が提供される。
【００２０】
また、上記課題を解決するために、本発明の別の観点によれば、少なくとも上下に隣接する画面を含む複数の画面を表示するインターレース映像信号の入力を画面単位で受ける映像信号入力ステップと、映像信号入力ステップに入力されたインターレース映像信号からプログレッシブ映像信号に変換する際に、インターレース映像信号によって画像が表示される領域である有効画像領域の最下ラインを変換する場合に下隣に画面が存在するときは下隣の画面の有効画像領域の最上ラインに相当するインターレース映像信号を用いて、画面の有効画像領域の最上ラインを変換する場合に上隣に画面が存在するときは上隣の画面の有効画像領域の最下ラインに相当するインターレース映像信号を用いて、プログレッシブ映像信号に変換する変換ステップと、をコンピュータに実行させることを特徴とする、コンピュータプログラムが提供される。
【発明の効果】
【００２１】
以上説明したように本発明によれば、上下に隣接する画面を含む複数の画面を表示するインターレース映像信号をＩ／Ｐ変換する際に、上または下に隣接する画面のインターレース信号を用いて補間処理を行うことで、画面の水平境界部分に薄暗い筋を表示させずに画像を表示することが可能な、新規かつ改良された映像信号処理装置、映像信号処理方法およびコンピュータプログラムを提供する。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
（第１の実施形態）
まず、本発明の第１の実施形態にかかる映像信号処理装置について説明する。図１は、本発明の第１の実施形態にかかる映像信号処理装置１００の構成について説明する説明図である。以下、図１を用いて本発明の第１の実施形態にかかる映像信号処理装置１００の構成について説明する。
【００２４】
映像信号処理装置１００は、複数の画面分のインターレース信号から、複数の画面分の画像を生成して出力するものである。図１に示したように、本発明の第１の実施形態にかかる映像信号処理装置１００は、映像信号入力部１１０と、変換処理部１２０と、を含んで構成される。
【００２５】
映像信号入力部１１０は、複数の画面分のインターレース信号の入力を画面単位で受けるものである。本実施形態においては、映像信号入力部１１０は縦２画面分、横２画面分の合計４画面分のＨＤ−ＳＤＩ信号の入力を画面単位で受ける。映像信号入力部１１０は、入力されたＨＤ−ＳＤＩ信号を画面単位で後段の変換処理部１２０に出力する。
【００２６】
変換処理部１２０は、映像信号入力部１１０が出力したインターレース信号の供給を受け、インターレース信号からプログレッシブ信号へ変換するＩ／Ｐ変換処理を画面単位で行い、プログレッシブ信号を出力するものである。本実施形態においては、変換処理部１２０は映像信号入力部１１０から、縦１１２５ラインのＨＤ−ＳＤＩ信号の供給を受けると、ＨＤ−ＳＤＩ信号をＩ／Ｐ変換し、縦１０８０ラインのプログレッシブ信号として出力する。
【００２７】
図２は、本発明の第１の実施形態にかかる映像信号処理装置１００でＩ／Ｐ変換が施された結果、表示される画面を概略的に示す説明図である。図２に示したように、本発明の第１の実施形態にかかる映像信号処理装置１００で４画面分のＨＤ−ＳＤＩ信号をＩ／Ｐ変換すると、画面１０１のように縦２画面分、横２画面分の合計４画面分の画像が表示される。画面１０１は、それぞれ左上画面１０１ａ、左下画面１０１ｂ、右上画面１０１ｃ、右下画面１０１ｄから構成される。
【００２８】
上述したように、４画面分のＨＤ−ＳＤＩ信号を単にＩ／Ｐ変換して出力すると、画面１０１は、左上画面１０１ａと左下画面１０１ｂとの境界および右上画面１０１ｃと右下画面１０１ｄとの境界に、薄暗い筋が入ったように見える画像となってしまう。そこで、本発明の第１の実施形態では、変換処理部１２０でのＩ／Ｐ変換において、左上画面１０１ａと左下画面１０１ｂとの境界および右上画面１０１ｃと右下画面１０１ｄとの境界に筋が表示されないようにＩ／Ｐ変換を実行する。
【００２９】
なお、図２に示した画面１０１において、左上画面１０１ａ、左下画面１０１ｂ、右上画面１０１ｃ、右下画面１０１ｄは、それぞれ縦１０８０画素、横１９２０画素の解像度を有している。なお、本発明においては、各画面の画素数や、１つの画面を構成する画面の数はかかる例に限られない。
【００３０】
ここで、本実施形態でＩ／Ｐ変換処理が施されるＨＤ−ＳＤＩ信号の信号規格について図面を参照しながら説明する。図３は、ＨＤ−ＳＤＩ信号の信号規格を示す説明図である。図３に示したように、ＨＤ−ＳＤＩ信号は１つのフレームで１１２５ライン分の信号が伝送される。そして、１１２５ライン分のＨＤ−ＳＤＩ信号は２つのフィールドに分けられる。以降、１ライン〜５６３ラインを第１フィールド、５６４ライン〜１１２５ラインを第２フィールドと称する。
【００３１】
第１フィールドでは、１ライン〜２０ラインおよび５６１ライン〜５６３ラインが、画像が画面に表示されない期間（ブランキング期間）であり、２１ライン〜５６０ラインが、画像が画面に表示されない期間である。また、第２フィールドでは、５６４ライン〜５８３ラインおよび１１２４ライン〜１１２５ラインが、画像が画面に表示されない期間（ブランキング期間）であり、５８４ライン〜１１２３ラインが、画像が画面に表示されない期間である。このブランキング期間以外の期間によって画像が表示される領域のことを、以後「有効画像領域」とも称する。
【００３２】
一般的なＩ／Ｐ変換では、図３に示したＨＤ−ＳＤＩ信号に対して、第１フィールドでは２１ラインと２２ラインとの間、２２ラインと２３ラインとの間、・・・、５６０ラインと５６１ラインとの間のラインの信号を補間処理によって生成する。また、第２フィールドでは５８３ラインと５８４ラインとの間、５８４ラインと５８５ラインとの間、・・・、１１２２ラインと１１２３ラインとの間の信号を補間処理によって生成する。
【００３３】
しかし、ＨＤ−ＳＤＩ信号の５６１ラインおよび５８３ラインは、画像が画面に表示されないブランキング期間に位置するラインである。そのため、ブランキング期間のデータを用いてＨＤ−ＳＤＩ信号の補間処理を行うと、上述したように他のラインより暗いデータが生成されてしまう。
【００３４】
そこで、下に隣接する画面が存在する場合において（例えば、図２の左上画面１０１ａ、右上画面１０１ｃにおいて）５６０ラインと５６１ラインとの間のラインの信号を生成する際には、生成されるラインが他のラインに比べて暗くならないようなデータを生成する必要がある。同様に、上に隣接する画面が存在する場合において（例えば、図２の左上画面１０１ｂ、右上画面１０１ｄにおいて）５８３ラインと５８４ラインとの間のラインの信号を生成する際には、生成されるラインが他のラインに比べて暗くならないようなデータを生成する必要がある。
【００３５】
以上、ＨＤ−ＳＤＩ信号の信号規格の概要について説明した。次に、本発明の第１の実施形態にかかる変換処理部１２０におけるＩ／Ｐ変換処理の概要について説明する。
【００３６】
図４及び図５は、本発明の第１の実施形態にかかる変換処理部１２０におけるＩ／Ｐ変換処理の概要を説明する説明図である。
【００３７】
本発明の第１の実施形態にかかる変換処理部１２０におけるＩ／Ｐ変換処理は、図４に示したように、下に隣接する画面が存在する場合において、第１フィールドにおける５６０ラインと５６１ラインとの間のラインの信号を生成する際には、下隣の画面の有効画像領域の最上ライン（２１ライン）のデータが必要となる。つまり、図５に示したように、第１フィールドにおいて５６０ラインと５６１ラインとの間のラインの信号を生成する際には、５６０ラインのデータ及び下隣の画面の２１ラインのデータを用いて補間処理を実行する。
【００３８】
同様に、上に隣接する画面が存在する場合において、第２フィールドにおいて５８３ラインと５８４ラインとの間のラインの信号を生成する際には、上隣の画面の有効画像領域の最下ライン（１１２３ライン）のデータを用いる。つまり、図５に示したように、第２フィールドにおいて５８３ラインと５８４ラインとの間のラインの信号を生成する際には、５８４ラインのデータ及び上隣の画面の１１２３ラインのデータを用いて補間処理を実行する。
【００３９】
このように変換処理部１２０においてＩ／Ｐ変換処理を実行することで、他のラインに比べて暗くならないようなデータを生成することができる。以下、本発明の第１の実施形態にかかる映像信号処理を実行するための機能構成について詳細に説明する。
【００４０】
図６は、本発明の第１の実施形態にかかる映像信号処理装置１００の構成について説明する説明図である。以下、図６を用いて本発明の第１の実施形態にかかる映像信号処理装置１００の構成について詳細に説明する。
【００４１】
図６に示したように、本発明の第１の実施形態にかかる映像信号処理装置１００は、左上画像データ格納部１１２ａと、左下画像データ格納部１１２ｂと、右上画像データ格納部１１２ｃと、右下画像データ格納部１１２ｄと、相関検査回路１２１ａ、１２１ｂと、ラインカウンタ１２２ａ、１２２ｂ、１２２ｃ、１２２ｄと、スイッチ１２３ａ、１２３ｂ、１２３ｃ、１２３ｄと、左上画像メモリ１２４ａと、左下画像メモリ１２４ｂと、右上画像メモリ１２４ｃと、右下画像メモリ１２４ｄと、補間処理部１３０と、を含んで構成される。
【００４２】
左上画像データ格納部１１２ａ、左下画像データ格納部１１２ｂ、右上画像データ格納部１１２ｃ及び右下画像データ格納部１１２ｄは、それぞれ図２に示した左上画面１０１ａ、左下画面１０１ｂ、右上画面１０１ｃ、右下画面１０１ｄを表示するためのＨＤ−ＳＤＩ信号の供給を受けるものである。左上画像データ格納部１１２ａ、左下画像データ格納部１１２ｂ、右上画像データ格納部１１２ｃ及び右下画像データ格納部１１２ｄは、図１に示した映像信号入力部１１０を構成するものであり、それぞれには走査線１本分の画像データが記憶可能なラインメモリが少なくとも１つ以上含まれていてもよい。
【００４３】
左上画像データ格納部１１２ａに格納されたＨＤ−ＳＤＩ信号は、左上画像データ格納部１１２ａから１ラインずつ出力され、左上画像メモリ１２４ａに供給される。また、左上画面１０１ａの有効画像領域の最下ラインに相当するＨＤ−ＳＤＩ信号は、左上画像データ格納部１１２ａから所定のタイミングで左下画像メモリ１２４ｂに供給される。左上画像データ格納部１１２ａに格納されたＨＤ−ＳＤＩ信号を、左上画像データ格納部１１２ａから１ラインずつ左上画像メモリ１２４ａに供給する際には、ラインカウンタ１２２ａでＨＤ−ＳＤＩ信号のラインをカウントしている。
【００４４】
左下画像データ格納部１１２ｂに格納されたＨＤ−ＳＤＩ信号は、左下画像データ格納部１１２ｂから１ラインずつ出力され、左下画像メモリ１２４ｂに供給される。また、左下画面１０１ｂの有効画像領域の最上ラインに相当するＨＤ−ＳＤＩ信号は、左下画像データ格納部１１２ｂから所定のタイミングで左上画像メモリ１２４ａに供給される。左下画像データ格納部１１２ｂに格納されたＨＤ−ＳＤＩ信号を、左下画像データ格納部１１２ｂから１ラインずつ左下画像メモリ１２４ｂに供給する際には、ラインカウンタ１２２ｂでＨＤ−ＳＤＩ信号のラインをカウントしている。なお、左上画像メモリ１２４ａ及び左下画像メモリ１２４ｂへの信号の供給については後に詳述する。
【００４５】
同様に、右上画像データ格納部１１２ｃに格納されたＨＤ−ＳＤＩ信号は、１ラインずつ出力されて右上画像メモリ１２４ｃに供給され、右下画像データ格納部１１２ｄに格納されたＨＤ−ＳＤＩ信号は、１ラインずつ出力されて右下画像メモリ１２４ｄに供給される。そして、右上画面１０１ｃの有効画像領域の最下ラインに相当するＨＤ−ＳＤＩ信号は、所定のタイミングで右下画像メモリ１２４ｄに供給され、右下画面１０１ｄの有効画像領域の最上ラインに相当するＨＤ−ＳＤＩ信号は、所定のタイミングで右上画像メモリ１２４ｃに供給される。
【００４６】
相関検査回路１２１ａ、１２２ｂは、２つのライン間の信号の相関性を検査するものである。具体的に説明すると、相関検査回路１２１ａは、左上画面１０１ａの有効画像領域の最下ラインと左下画面１０１ｂの有効画像領域の最上ラインとの間の信号の相関性を検査する。相関検査回路１２１ａで２つのライン間の信号の相関性を検査して、相関性があると判断すると、ラインカウンタ１２２ａ、１２２ｂを通じて、左上画像メモリ１２４ａに左下画面１０１ｂの有効画像領域における最上ラインの信号を、左下画像メモリ１２４ｂに左上画面１０１ａの有効画像領域における最下ラインの信号を、それぞれ供給するように制御する。
【００４７】
同様に、相関検査回路１２１ｂは、右上画面１０１ｃの有効画像領域の最下ラインと右下画面１０１ｄの有効画像領域の最上ラインとの間の信号の相関性を検査する。相関検査回路１２１ｂで相関性があると判断すると、ラインカウンタ１２２ｃ、１２２ｄを通じて、右上画像メモリ１２４ｃに右下画面１０１ｄの有効画像領域における最上ラインの信号を、右下画像メモリ１２４ｄに左上画面１０１ｃの有効画像領域における最下ラインの信号を、それぞれ供給するように制御する。
【００４８】
なお、相関検査回路１２１ａ、１２２ｂにおいて、２つのライン間の信号に相関性が無いと判断すると、上下に隣接する画面は相互に無関係な画面であるとして、上述したような供給の制御は行わないようにしてもよい。
【００４９】
ラインカウンタ１２２ａ、１２２ｂ、１２２ｃ、１２２ｄは、それぞれ左上画像メモリ１２４ａ、左下画像メモリ１２４ｂ、右上画像メモリ１２４ｃ、右下画像メモリ１２４ｄに供給されるＨＤ−ＳＤＩ信号のラインをカウントするものである。そして、スイッチ１２３ａ、１２３ｂ、１２３ｃ、１２３ｄは、それぞれ左上画像メモリ１２４ａ、左下画像メモリ１２４ｂ、右上画像メモリ１２４ｃ、右下画像メモリ１２４ｄに供給するＨＤ−ＳＤＩ信号の供給元をスイッチングによって制御するものである、
【００５０】
スイッチ１２３ａ、１２３ｂ、１２３ｃ、１２３ｄは、ラインカウンタ１２２ａ、１２２ｂ、１２２ｃ、１２２ｄでカウントされた値によってスイッチングが制御される。スイッチ１２３ａ、１２３ｂ、１２３ｃ、１２３ｄのスイッチングが制御されることによって、左上画像メモリ１２４ａ、左下画像メモリ１２４ｂ、右上画像メモリ１２４ｃ、右下画像メモリ１２４ｄへのＨＤ−ＳＤＩ信号の供給が制御される。
【００５１】
ここで、ラインカウンタ１２２ａを例に挙げて説明する。ＨＤ−ＳＤＩ信号の内、第１フィールドの信号を左上画像データ格納部１１２ａから供給する場合に、ラインカウンタ１２２ａでカウントした値が２１から５６０の間であれば、スイッチ１２３ａが、左上画像データ格納部１１２ａから供給されるＨＤ−ＳＤＩ信号を左上画像メモリ１２４ａに格納するようにスイッチングされる。そして、ラインカウンタ１２２ａでカウントした値が５６１であれば、スイッチ１２３ａが、左下画像データ格納部１１２ｂから供給される２１ライン目のＨＤ−ＳＤＩ信号を左上画像メモリ１２４ａに格納するようにスイッチングされる。
【００５２】
このように、ラインカウンタ１２２ａでカウントした値に基づいてスイッチ１２３ａのスイッチングを制御することで、左上画像データ格納部１１２ａから供給される２１ライン目から５６０ライン目のＨＤ−ＳＤＩ信号と、左下画像データ格納部１１２ｂから供給される２１ライン目のＨＤ−ＳＤＩ信号とを、左上画像メモリ１２４ａに格納することができる。
【００５３】
なお、相関検査回路１２１ａにおいて、左上画像データ格納部１１２ａから供給される５６０ライン目のＨＤ−ＳＤＩ信号と、左下画像データ格納部１１２ｂから供給される２１ライン目のＨＤ−ＳＤＩ信号との間に相関性がないと判断した場合には、ラインカウンタ１２２ａは、スイッチ１２３ａを切り替えないように制御してもよい。
【００５４】
左上画像メモリ１２４ａ、左下画像メモリ１２４ｂ、右上画像メモリ１２４ｃ、右下画像メモリ１２４ｄは、それぞれ左上画像データ格納部１１２ａ、左下画像データ格納部１１２ｂ、右上画像データ格納部１１２ｃ、右下画像データ格納部１１２ｄからＨＤ−ＳＤＩ信号が供給されて、一時的に格納されるメモリである。
【００５５】
そして、スイッチ１２３ａ、１２３ｂ、１２３ｃ、１２３ｄのスイッチングにより、左上画像メモリ１２４ａには左下画像データ格納部１１２ｂからの、左下画像メモリ１２４ｂには左上画像データ格納部１１２ａからの、右上画像メモリ１２４ｃには右下画像データ格納部１１２ｄからの、右下画像メモリ１２４ｄには右上画像データ格納部１１２ｃからの信号も、それぞれ供給され、一時的に格納される。
【００５６】
左上画像メモリ１２４ａ、左下画像メモリ１２４ｂ、右上画像メモリ１２４ｃ、右下画像メモリ１２４ｄに一時的に格納されたＨＤ−ＳＤＩ信号は、Ｉ／Ｐ変換処理を施すために、それぞれ補間処理部１３０に供給される。
【００５７】
補間処理部１３０は、左上画像メモリ１２４ａ、左下画像メモリ１２４ｂ、右上画像メモリ１２４ｃ、右下画像メモリ１２４ｄに格納されたＨＤ−ＳＤＩ信号の供給を受け、２つのラインの信号から、２つのライン間の信号を補間処理によって生成するものである。補間処理部１３０における補間処理によって、インターレース信号であるＨＤ−ＳＤＩ信号はプログレッシブ信号となる。
【００５８】
なお、補間処理部１３０における補間処理は、インターレース信号をプログレッシブ信号にＩ／Ｐ変換する際に一般的に用いられる補間処理方法を用いることができるので、詳細な説明は省略する。
【００５９】
以上、図６を用いて本発明の第１の実施形態にかかる映像信号処理装置１００の構成について説明した。次に、図６に示した本発明の第１の実施形態にかかる映像信号処理装置１００を用いた信号処理方法について、詳細に説明する。
【００６０】
図７は、本発明の第１の実施形態にかかる映像信号処理装置１００を用いた信号処理方法を説明する説明図である。以下、図７を用いて本発明の第１の実施形態にかかる映像信号処理装置１００を用いた信号処理方法について詳細に説明する。
【００６１】
図７では、左上画面１０１ａを表示するための左上画像信号と、左下画面１０１ｂを表示するための左下画像信号の流れを示している。従って、図７では、図６に示した映像信号処理装置１００の構成から説明に必要となる部位のみを抜き出して示している。なお、第１のラインメモリ１１３ａは、左上画像データ格納部１１２ａに含まれるラインメモリであり、第２のラインメモリ１１３ｂは、左下画像データ格納部１１２ｂに含まれるラインメモリである。
【００６２】
まず、ＨＤ−ＳＤＩ信号における、各フレームの第１フィールドの信号の流れを説明する。第１フィールドの左上画像信号及び左下画像信号を、それぞれ左上画像メモリ１２４ａ、左下画像メモリ１２４ｂに供給する際には、スイッチ１２３ａ、１２３ｂは、いずれも左上画像信号及び左下画像信号をそれぞれ左上画像メモリ１２４ａ、左下画像メモリ１２４ｂに供給するようにスイッチングされている。
【００６３】
そして、第１フィールドの信号が左上画像メモリ１２４ａ、左下画像メモリ１２４ｂに供給されている期間の任意のタイミングで、左下画像信号の２１ライン目の信号を第２のラインメモリ１１３ｂに一時的に溜めておく。
【００６４】
そして、ラインカウンタ１２２ａのカウントによって、第１フィールドの有効画像領域の最後のライン（５６０ライン）の信号が左上画像メモリ１２４ａ、左下画像メモリ１２４ｂにそれぞれ格納されたと判断されると、スイッチ１２３ａを切り替えて、あらかじめ第２のラインメモリ１１３ｂに溜めておいた左下画像信号の２１ライン目の信号を、左上画面１０１ａの５６１ライン目の信号として、左上画像メモリ１２４ａに供給するようスイッチングする。
【００６５】
図８Ａは、本発明の第１の実施形態にかかる映像信号処理装置１００に供給されるＨＤ−ＳＤＩ信号の第１フィールドの信号の流れを模式的に示す説明図である。第１フィールドでは、上述したように左下画像信号の２１ライン目の信号を第２のラインメモリ１１３ｂに溜めておく。そして、左上画像信号の５６０ライン目の信号が左上画像メモリ１２４ａに供給されると、第２のラインメモリ１１３ｂに予め溜めておいた左下画像信号の２１ライン目の信号を、左上画像信号の５６１ライン目の信号として左上画像メモリ１２４ａに供給する。
【００６６】
次に第２フィールドの信号の流れを説明する。第１フィールドの時と同様に、第２フィールドの左上画像信号及び左下画像信号を、それぞれ左上画像メモリ１２４ａ、左下画像メモリ１２４ｂに供給する際には、スイッチ１２３ａ、１２３ｂは、いずれも左上画像信号及び左下画像信号をそれぞれ左上画像メモリ１２４ａ、左下画像メモリ１２４ｂに供給するようにスイッチングされている。
【００６７】
そして、第２フィールドの信号が左上画像メモリ１２４ａ、左下画像メモリ１２４ｂに供給されている期間の任意のタイミングで、左上画像信号の１１２３ライン目の信号を第１のラインメモリ１１３ａに溜めておく。
【００６８】
そして、ラインカウンタ１２２ｂのカウントによって第２フィールドの有効画像領域の最後のライン（１１２３ライン）の信号が左上画像メモリ１２４ａ、左下画像メモリ１２４ｂにそれぞれ格納されたと判断されると、スイッチ１２３ｂを切り替えて、あらかじめ第１のラインメモリ１１３ａに溜めておいた左上画像信号の１１２２ライン目の信号を、左上画面１０１ａの５８３ライン目の信号として、左下画像メモリ１２４ｂに供給するようスイッチングする。
【００６９】
図８Ｂは、本発明の第１の実施形態にかかる映像信号処理装置１００に供給されるＨＤ−ＳＤＩ信号の第２フィールドの信号の流れを模式的に示す説明図である。第２フィールドでは、上述したように左上画像信号の１１２３ライン目の信号を第１のラインメモリ１１３ａに溜めておく。そして、左下画像信号の１１２３ライン目の信号が左上画像メモリ１２４ａに供給されると、第１のラインメモリ１１３ａに予め溜めていた左下画像信号の１１２３ライン目の信号を、左上画像信号の５８３ライン目の信号として左上画像メモリ１２４ａに供給する。
【００７０】
第１のラインメモリ１１３ａ、第２のラインメモリ１１３ｂに有効画像領域の最下ラインまたは最上ラインのデータを一時的に格納しておき、所定のタイミングで左上画像メモリ１２４ａ、左下画像メモリ１２４ｂに出力する。このように左上画像メモリ１２４ａ、左下画像メモリ１２４ｂへの信号の供給を制御することで、図９に示したように、左上画像メモリ１２４ａ、左下画像メモリ１２４ｂには、実際の第１フィールド、第２フィールドにおける有効画像領域のライン数より１ライン多く、ＨＤ−ＳＤＩ信号が格納される。
【００７１】
このように左上画像メモリ１２４ａ、左下画像メモリ１２４ｂに格納されたＨＤ−ＳＤＩ信号を用いて、補間処理部１３０で補間処理を実行することで、左上画面１０１ａの最下ライン及び左下画面１０１ｂの最上ラインが薄暗くならないようにＩ／Ｐ変換を行うことができる。
【００７２】
図１０Ａおよび図１０Ｂは、左上画像メモリ１２４ａ及び左下画像メモリ１２４ｂに格納されたＨＤ−ＳＤＩ信号を用いたＩ／Ｐ変換処理の概要を示す説明図である。
【００７３】
図１０Ａを用いて、本発明の第１の実施形態にかかる映像信号処理装置１００に供給されるＨＤ−ＳＤＩ信号の、第１フィールドの信号のＩ／Ｐ変換処理を説明すると、プログレッシブ信号の２ライン目は、ＨＤ−ＳＤＩ信号の２１ライン目および２２ライン目の信号を用いて補間処理によって生成する。同様に、４ライン目はＨＤ−ＳＤＩ信号の２２ライン目および２３ライン目の信号を用いて、６ライン目はＨＤ−ＳＤＩ信号の２３ライン目および２４ライン目の信号を用いて、それぞれ補間処理によって生成する。
【００７４】
そして、１０８０ライン目は、ＨＤ−ＳＤＩ信号の５６０ライン目および５６１ライン目の信号を用いて補間処理によって生成する。ここで、左上画像信号における５６１ライン目の信号は、通常はブランキング領域のものを利用しているが、本実施形態においては左下画像信号の２１ライン目の信号を利用している。従って、本実施形態にかかる信号処理方法によれば、左上画面１０１ａの１０８０ライン目のプログレッシブ信号を薄暗くならないように生成することができる。
【００７５】
一方で、左下画像信号における５６１ライン目の信号は、ブランキング領域のものを利用している。従って、左下画面１０１ｂの１０８０ライン目のプログレッシブ信号は従来どおり薄暗いものとなるが、左下画面１０１ｂの最下ラインは画面１０１の一番下のラインであるので、左下画面１０１ｂの１０８０ライン目のプログレッシブ信号は従来どおり薄暗くなっていてもよい。
【００７６】
次に図１０Ｂを用いて、本発明の第１の実施形態にかかる映像信号処理装置１００に供給されるＨＤ−ＳＤＩ信号の、第２フィールドの信号のＩ／Ｐ変換処理を説明すると、プログレッシブ信号の３ライン目はＨＤ−ＳＤＩ信号の５８４ライン目および５８５ライン目の信号を用いて、補間処理によって生成する。同様に、５ライン目はＨＤ−ＳＤＩ信号の５８５ライン目および５８６ライン目の信号を用いて、７ライン目はＨＤ−ＳＤＩ信号の５８６ライン目および５８７ライン目の信号を用いて、それぞれ補間処理によって生成する。以後、１０７９ライン目までプログレッシブ信号を生成する。
【００７７】
そして、１ライン目は、ＨＤ−ＳＤＩ信号の５８３ライン目および５８４ライン目の信号を用いて補間処理によって生成する。ここで、左下画像信号における５８３ライン目の信号は、通常はブランキング領域のものを利用しているが、本実施形態においては左上画像信号の１１２３ライン目の信号を利用している。従って、本実施形態にかかる信号処理方法によれば、左下画面１０１ｂの１ライン目のプログレッシブ信号を薄暗くならないように生成することができる。
【００７８】
一方で、左上画像信号における１ライン目の信号は、ブランキング領域のものを利用している。従って、左上画面１０１ａの１ライン目のプログレッシブ信号は従来どおり薄暗いものとなるが、左上画面１０１ａの最上ラインは画面１０１の一番上のラインであるので、左上画面１０１ａの１ライン目のプログレッシブ信号は従来どおり薄暗くなっていてもよい。
【００７９】
なお、左上画像信号の有効画像領域の最下ラインと、左下画像信号の有効画像領域の最上ラインとの間の相関性を相関検査回路１２１ａで検査し、相関性がないと判断した場合には、スイッチ１２３ａ、１２３ｂのスイッチングを行わないようにスイッチ１２３ａ、１２３ｂを制御してもよい。
【００８０】
相関検査回路１２１ａにおける２つのラインの間の相関性の検査方法の一例を以下に示す。例えば、ｘ＿ｕｐｐｅｒｉを上側のラインのi番目のデータ、ｘ＿ｌｏｗｅｒｉを下側のラインのi番目のデータとして、全てのデータに対して、
ｘｔｈ＝Σ（ｘ＿ｕｐｐｅｒｉ−ｘ＿ｌｏｗｅｒｉ）
を計算する。そして、ｘｔｈの値が、予め定めた設定値より小さければ、２つのラインの間には相関性があると判断する。一方、ｘｔｈの値が、予め定めた設定値以上であれば、２つのラインの間には相関性が無いと判断し、スイッチ１２３ａ、１２３ｂのスイッチングを行わないようにスイッチ１２３ａ、１２３ｂを制御してもよい。
【００８１】
なお、上記説明では左上画像信号および左下画像信号の場合を例示して説明したが、右上画像信号および右下画像信号の場合であっても同様に、上述した信号処理方法を実行すればよい。
【００８２】
以上、本発明の第１の実施形態にかかる映像信号処理装置１００を用いた信号処理方法について説明した。
【００８３】
以上説明したように、本発明の第１の実施形態によれば、各画面の画像信号（ＨＤ−ＳＤＩ信号）をそれぞれメモリに格納する際に、実際のライン数より１ライン多く格納することで、画面の境界のラインをＩ／Ｐ変換してもその境界のラインは薄暗くならないので、画面の中央部に薄く筋が入っていない画面を表示させることが可能となる。
【００８４】
なお、上述した本発明の第１の実施形態においては、縦２画面、横２画面の計４画面分の画像を表示する際の処理について説明したが、縦方向の画面数が３画面以上でも上述した処理と同様の処理を行うことができる。例えば、縦方向の画面が３画面であり、中央の画面についてＩ／Ｐ変換を施す場合を考える。この場合には、中央の画面については実際のライン数より上下それぞれ１ラインずつ多くメモリに格納し、格納した信号に対して補間処理を施すことで、画面の境界のラインをＩ／Ｐ変換してもその境界のラインは薄暗くならないようにプログレッシブ信号を生成することができる。
【００８５】
（第２の実施形態）
本発明の第１の実施形態では、各画面の画像信号（ＨＤ−ＳＤＩ信号）をそれぞれメモリに格納する際に、実際のライン数より１ライン多く格納することで、画面の境界のラインをＩ／Ｐ変換してもその境界のラインは薄暗くならない映像信号処理装置１００、及び映像信号処理装置１００を用いた信号処理方法について説明した。本発明の第２の実施形態では、複数画面分のインターレース信号を一度バッファしておき、バッファしたデータを１ラインずつ読み出して、画面の境界のラインに対してはＩ／Ｐ変換処理を変化させる映像信号処理装置および映像信号処理方法について説明する。
【００８６】
図１１は、本発明の第２の実施形態にかかる映像信号処理装置２００の構成について説明する説明図である。以下、図１１を用いて本発明の第２の実施形態にかかる映像信号処理装置２００の構成について説明する。
【００８７】
図１１に示したように、本発明の第２の実施形態にかかる映像信号処理装置２００は、ＩＣ２１２と、変換処理部２２０と、ラインカウンタ２２１と、画像データ格納部２２２と、を含んで構成される。そして、変換処理部２２０は第１のラインメモリ２２４と、第２のラインメモリ２２５と、第３のラインメモリ２２６と、相関検査回路２２７と、スイッチ２２８ａ、２２８ｂと、補間処理部２３０と、を含んで構成される。
【００８８】
本実施形態にかかる映像信号処理装置２００は、本発明の第１の実施形態にかかる映像信号処理装置１００と同様に、縦２画面、横２画面の計４画面分のインターレース信号（ＨＤ−ＳＤＩ信号）に基づいて、図２に示したような４画面分の映像を表示させるものである。
【００８９】
ＩＣ２１２は、４画面分のインターレース信号（ＨＤ−ＳＤＩ信号）の入力を受けて、入力された信号を画像データ格納部２２２に供給するものである。また、変換処理部２２０におけるＩ／Ｐ変換処理の際に、ラインカウンタ２２１に対してＩ／Ｐ変換処理の対象となっているＨＤ−ＳＤＩ信号のライン番号をカウントする信号をＩ／Ｐ変換処理のタイミングで送出する。
【００９０】
変換処理部２２０は、画像データ格納部２２２に格納されたインターレース信号（ＨＤ−ＳＤＩ信号）に対して、Ｉ／Ｐ変換処理を実行してプログレッシブ信号を生成するものである。なお、図１１では変換処理部２２０を１つだけ設けているが、変換処理部２２０は画面の数だけ設けることが望ましく、本実施形態においては４画面分のインターレース信号の入力を受けているので、それぞれの画面を表示するためのインターレース信号に対応した変換処理部２２０を４つ設けることが望ましい。
【００９１】
ラインカウンタ２２１は、変換処理部２２０によるＩ／Ｐ変換処理の対象となっているＨＤ−ＳＤＩ信号のライン番号をカウントするものである。ラインカウンタ２２１におけるライン番号のカウントはＩＣ２１２からの制御によって実行される。ＩＣ２１２からの制御によってラインカウンタ２２１でのカウントが開始され、カウントした値が所定の値になると、後述するようにスイッチ２２８ａ、２２８ｂの端子を切り替えるよう制御する。
【００９２】
画像データ格納部２２２は、４画面分のインターレース信号（ＨＤ−ＳＤＩ信号）を一時的に格納しておくものである。画像データ格納部２２２に格納されたＨＤ−ＳＤＩ信号は１ラインずつ読み出され、変換処理部２２０においてＩ／Ｐ変換処理が施される。
【００９３】
続いて、変換処理部２２０を構成する各構成要素について説明する。第１のラインメモリ２２４、第２のラインメモリ２２５および第３のラインメモリ２２６は、それぞれ画像データ格納部２２２に格納されたＨＤ−ＳＤＩ信号が１ラインずつ格納されるメモリである。
【００９４】
第１のラインメモリ２２４には、有効画像領域の最上ラインまたは最下ラインの信号が格納される。変換処理部２２０において左上画像信号のＩ／Ｐ変換処理を行う場合を例示して説明すると、第１のラインメモリ２２４には、左下画像信号の有効画像領域の最上ラインの信号が格納される。第１のラインメモリ２２４に格納されている信号は、通常は左上画像信号のＩ／Ｐ変換処理に用いられることはない。しかし、左上画像信号の有効画像領域の最下ラインをＩ／Ｐ変換する際には、通常のＩ／Ｐ変換処理ではブランキング領域の信号を用いるが、本実施形態においては第１のラインメモリ２２４に格納した左下画像信号の有効画像領域の最上ラインの信号を用いてＩ／Ｐ変換する。
【００９５】
第２のラインメモリ２２５および第３のラインメモリ２２６には、画像データ格納部２２２に格納されたＨＤ−ＳＤＩ信号が１ラインずつ格納される。第２のラインメモリ２２５に格納された１ライン分の信号は、スイッチ２２８ａを経由して補間処理部２３０に供給される他、第３のラインメモリ２２６にも供給される。
【００９６】
従って、例えば第２のラインメモリ２２５に、図３に示したＨＤ−ＳＤＩ信号の２１ライン目の信号が格納されると、次の２２ライン目のＨＤ−ＳＤＩ信号が供給されるタイミングで、第２のラインメモリ２２５には２２ライン目のＨＤ−ＳＤＩ信号が、第３のラインメモリ２２６には２１ライン目のＨＤ−ＳＤＩ信号が、それぞれ格納されることになる。
【００９７】
相関検査回路２２７は、第１のラインメモリ２２４に格納された信号と、第２のラインメモリ２２５に格納される信号との相関性を検査するものである。相関検査回路２２７における相関性の検査の結果によって、相関検査回路２２７はスイッチ２２８ａ、２２８ｂのスイッチングを制御する。相関検査回路２２７における相関性の検査方法は、例えば上述した本発明の第１の実施形態にかかる相関検査回路１２１ａ、１２１ｂと同様の方法でもあってもよい。
【００９８】
スイッチ２２８ａ、２２８ｂは、補間処理部２３０に供給するＨＤ−ＳＤＩ信号を制御するものである。通常は、スイッチ２２８ａ、２２８ｂはいずれも端子“２”側にスイッチングされており、補間処理部２３０には第２のラインメモリ２２５に格納された信号と、第３のラインメモリ２２６に格納された信号とが供給される。しかし、所定のタイミングでスイッチ２２８ａ、２２８ｂのいずれかが端子“１”側にスイッチングされ、第１のラインメモリ２２４に格納されたＨＤ−ＳＤＩ信号が補間処理部２３０に供給される。スイッチ２２８ａ、２２８ｂの切り替えタイミングについては後に詳述する。
【００９９】
補間処理部２３０は、第１のラインメモリ２２４、第２のラインメモリ２２５、第３のラインメモリ２２６からＨＤ−ＳＤＩ信号の供給を受け、補間処理によってプログレッシブ信号を生成して出力するものである。補間処理部２３０における補間処理は上述した本発明の第１の実施形態にかかる補間処理部１３０における補間処理と同様の補間処理を行ってもよい。
【０１００】
以上、本発明の第２の実施形態にかかる映像信号処理装置２００の構成について説明した。次に、本発明の第２の実施形態にかかる映像信号処理装置２００に供給されるＨＤ−ＳＤＩ信号の流れについて説明する。
【０１０１】
図１２Ａおよび図１２Ｂは、本発明の第２の実施形態にかかる映像信号処理装置２００に供給されるＨＤ−ＳＤＩ信号の流れについて説明する説明図である。以下、図１２Ａおよび図１２Ｂを用いて本発明の第２の実施形態にかかる映像信号処理装置２００に供給されるＨＤ−ＳＤＩ信号の流れについて説明する。
【０１０２】
まず、図１２Ａを参照しながら、ＨＤ−ＳＤＩ信号の第１フィールドの信号の流れを説明する。第２のラインメモリ２２５に２１ライン目の信号が格納されている場合には、第３のラインメモリ２２６には２０ライン目の信号が格納されている。この場合には第２のラインメモリ２２５および第３のラインメモリ２２６に格納されている信号を補間処理部２３０に供給するようにスイッチ２２８ａ、２２８ｂを制御する。
【０１０３】
その後時間が経過して、第２のラインメモリ２２５に５６１ライン目の信号が、第３のラインメモリ２２６に５６０ライン目の信号が、それぞれ格納されている状態になると、左上画像信号についてＩ／Ｐ変換処理を施すときには、この状態になる前に予め第１のラインメモリ２２４に格納しておいた左下画像信号の２１ライン目の信号と、第３のラインメモリ２２６に格納されている左上画像信号の５６０ライン目の信号とを用いる。従って、スイッチ２２８ａの端子を“１”側に切り替えて、第１のラインメモリ２２４に格納されている信号を補間処理部２３０に供給するように制御する。
【０１０４】
図１２Ａに示したように、第１フィールドでは２１ライン目の信号から５６１ライン目の信号までを用いて、補間処理部２３０で１０８０ラインのプログレッシブ信号を生成する。しかし、左上画像信号について補間処理を行うときには、５６１ライン目の信号に代えて、左下画像信号の２１ライン目の信号を用いる。このように補間処理部２３０に供給する信号を切り替えて、補間処理部２３０で１０８０ラインのプログレッシブ信号を生成することで、左上画面１０１ａと左下画面１０１ｂとの境界において薄暗いラインが生成されなくなる。
【０１０５】
次に、図１２Ｂを参照しながら、ＨＤ−ＳＤＩ信号の第２フィールドの信号の流れを説明する。第２のラインメモリ２２５に５８４ライン目の信号が格納されている場合には、第３のラインメモリ２２６には５８３ライン目の信号が格納されている。この場合には第２のラインメモリ２２５および第３のラインメモリ２２６に格納されている信号を補間処理部２３０に供給するようにスイッチ２２８ａ、２２８ｂを制御する。
【０１０６】
左下画像信号についてＩ／Ｐ変換処理を施す場合には、第２のラインメモリ２２５に５８４ライン目の信号が、第３のラインメモリ２２６に５８３ライン目の信号が、それぞれ格納されている状態になると、この状態になる前に予め第１のラインメモリ２２４に格納しておいた左上画像信号の１１２３ライン目の信号と、第２のラインメモリ２２５に格納されている左下画像信号の５８４ライン目の信号とを用いる。従って、スイッチ２２８ｂの端子を“１”側に切り替えて、第１のラインメモリ２２４に格納されている信号を補間処理部２３０に供給するように制御する。
【０１０７】
スイッチ２２８ａ、２２８ｂの端子を“１”側に切り替えて、第１のラインメモリ２２４に格納されている信号を補間処理部２３０に供給すると、次のラインの信号を補間するタイミングで、再びスイッチ２２８ａ、２２８ｂの端子を“２”側に切り替える。以後、スイッチ２２８ａ、２２８ｂの端子の切り替えを繰り返して、補間処理部２３０に供給する信号の供給元を制御する。
【０１０８】
図１２Ｂに示したように、第２フィールドでは５８３ライン目の信号から１１２３ライン目の信号までを用いて、補間処理部２３０で１０８０ラインのプログレッシブ信号を生成する。しかし、左下画像信号について補間処理を行うときには、５８３ライン目の信号に代えて、左上画像信号の１１２３ライン目の信号を用いる。このように補間処理部２３０に供給する信号を切り替えて、補間処理部２３０で１０８０ラインのプログレッシブ信号を生成することで、左上画面１０１ａと左下画面１０１ｂとの境界において薄暗いラインが生成されなくなる。
【０１０９】
このように、補間処理部２３０に供給する信号をスイッチ２２８ａ、２２８ｂで切り替えることで、補間処理部２３０で補間処理を行う信号を切り替えることが出来る。このように供給する信号を切り替えることで、各画像の有効画像領域の境界において薄暗いラインが生成されなくなる。その結果、上下に隣接するような画面のＨＤ−ＳＤＩ信号をＩ／Ｐ変換しても、画面の境界部分に薄暗いラインが表示されなくなる。
【０１１０】
なお、相関検査回路２２７における相関性の検査の結果、第１のラインメモリ２２４に格納されるＨＤ−ＳＤＩ信号と、第２のラインメモリ２２５または第３のラインメモリ２２６に格納されるＨＤ−ＳＤＩ信号との間に相関性が無いと判断された場合には、左上画像信号によって表示される画像と、左下画像信号によって表示される画像とは、異なる画像である（上下の画面で連続していない画像である）と判断し、スイッチ２２８ａ、２２８ｂの切り替えを行わないように制御してもよい。
【０１１１】
以上、本発明の第２の実施形態にかかる映像信号処理装置２００の動作について説明した。
【０１１２】
以上説明したように本発明の第２の実施形態によれば、複数画面分のインターレース信号を一度バッファしておき、バッファしたデータを１ラインずつ読み出してラインメモリに格納することで、画面の境界のラインに対してはＩ／Ｐ変換処理を変化させることができる。その結果、画面の境界のラインをＩ／Ｐ変換してもその境界のラインは薄暗くならないので、画面の中央部に薄く筋が入っていない画面を表示させることが可能となる。
【０１１３】
なお、上述した各処理は、映像信号処理装置１００、２００の内部に格納した（例えばＥＥＰＲＯＭやフラッシュメモリ等の半導体メモリに格納した）コンピュータプログラムを、ＣＰＵのようなプロセッサが順次読み出して実行することによって行ってもよい。また、当該コンピュータプログラムが記憶された、コンピュータで読み取り可能な記録媒体も提供される。このような記録媒体は、例えば磁気ディスクや光ディスクなどである。
【０１１４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１５】
例えば、上記本発明の第１の実施形態では、上下に隣接する画像データから１ライン分取得して、各画像メモリには１ライン余分に格納していたが、本発明はかかる例に限定されない。例えば、上下に隣接する画像データから２ライン分以上取得して、各画像メモリには２ライン以上余分に格納してもよい。
【産業上の利用可能性】
【０１１６】
本発明は、映像信号処理装置、映像信号処理方法およびコンピュータプログラムに適用可能であり、より詳細には、上下に隣接する画面を含む複数の画面分のインターレース映像信号をプログレッシブ映像信号に変換する映像信号処理装置、映像信号処理方法およびコンピュータプログラムに適用可能である。
【図面の簡単な説明】
【０１１７】
【図１】本発明の第１の実施形態にかかる映像信号処理装置１００の構成について説明する説明図である。
【図２】本発明の第１の実施形態にかかる映像信号処理装置１００でＩ／Ｐ変換が施された結果、表示される画面を概略的に示す説明図である。
【図３】ＨＤ−ＳＤＩ信号の信号規格を示す説明図である。
【図４】本発明の第１の実施形態にかかる変換処理部１２０におけるＩ／Ｐ変換処理の概要を説明する説明図である。
【図５】本発明の第１の実施形態にかかる変換処理部１２０におけるＩ／Ｐ変換処理の概要を説明する説明図である。
【図６】本発明の第１の実施形態にかかる映像信号処理装置１００の構成について説明する説明図である。
【図７】本発明の第１の実施形態にかかる映像信号処理装置１００を用いた信号処理方法を説明する説明図である。
【図８Ａ】本発明の第１の実施形態にかかる映像信号処理装置１００に供給されるＨＤ−ＳＤＩ信号の第１フィールドの信号の流れを模式的に示す説明図である。
【図８Ｂ】本発明の第１の実施形態にかかる映像信号処理装置１００に供給されるＨＤ−ＳＤＩ信号の第２フィールドの信号の流れを模式的に示す説明図である。
【図９】左上画像メモリ１２４ａ、左下画像メモリ１２４ｂに格納される信号の様子を模式的に示す説明図である。
【図１０Ａ】第１フィールドの信号のＩ／Ｐ変換処理を説明する説明図である。
【図１０Ｂ】第２フィールドの信号のＩ／Ｐ変換処理を説明する説明図である。
【図１１】本発明の第２の実施形態にかかる映像信号処理装置２００の構成について説明する説明図である。
【図１２Ａ】本発明の第２の実施形態にかかる映像信号処理装置２００に供給されるＨＤ−ＳＤＩ信号の流れについて説明する説明図である。
【図１２Ｂ】本発明の第２の実施形態にかかる映像信号処理装置２００に供給されるＨＤ−ＳＤＩ信号の流れについて説明する説明図である。
【図１３】Ｉ／Ｐ変換による補間処理を概略的に説明する説明図である。
【図１４】画素の上下の境界におけるＩ／Ｐ変換による補間処理を概略的に説明する説明図である。
【図１５】水平境界部分に薄暗い筋が入ったように見える画像が表示されてしまう場合を模式的に示す説明図である。
【符号の説明】
【０１１８】
１００    映像信号処理装置
１１０    映像信号入力部
１１２ａ    左上画像データ格納部
１１２ｂ    左下画像データ格納部
１１２ｃ    右上画像データ格納部
１１２ｄ    右下画像データ格納部
１１３ａ    第１のラインメモリ
１１３ｂ    第２のラインメモリ
１２０    変換処理部
１２１ａ、１２１ｂ    相関検査回路
１２２ａ、１２２ｂ、１２２ｃ    ラインカウンタ
１２３ａ、１２３ｂ    スイッチ
１２４ａ    左上画像メモリ
１２４ｂ    左下画像メモリ
１２４ｃ    右上画像メモリ
１２４ｄ    右下画像メモリ
１３０    補間処理部
２００    映像信号処理装置
２１２    ＩＣ
２２０    変換処理部
２２１    ラインカウンタ
２２２    画像データ格納部
２２４    第１のラインメモリ
２２５    第２のラインメモリ
２２６    第３のラインメモリ
２２７    相関検査回路
２２８ａ、２２８ｂ    スイッチ
２３０    補間処理部
【図１】
0005176613.tif 000002
【図２】
0005176613.tif 000003
【図３】
0005176613.tif 000004
【図４】
0005176613.tif 000005
【図５】
0005176613.tif 000006
【図６】
0005176613.tif 000007
【図７】
0005176613.tif 000008
【図８Ａ】
0005176613.tif 000009
【図８Ｂ】
0005176613.tif 000010
【図９】
0005176613.tif 000011
【図１０Ａ】
0005176613.tif 000012
【図１０Ｂ】
0005176613.tif 000013
【図１１】
0005176613.tif 000014
【図１２Ａ】
0005176613.tif 000015
【図１２Ｂ】
0005176613.tif 000016
【図１３】
0005176613.tif 000017
【図１４】
0005176613.tif 000018
【図１５】
0005176613.tif 000019